(57)【特許請求の範囲】
【請求項１】
表示装置と接続を確立して前記表示装置に表示させる画像のソースを設定する端末装置が有するコンピューターを、
操作情報が入力される入力部と、
表示装置の表示領域に対応した位置指定領域と、該位置指定領域に対して指定可能な画像ソース又はパターン画像ソースに対応した１又は複数のアイコンが配置されるアイコン配置領域とを有する構成指定画像を生成する画像生成部と、
前記アイコン配置領域に配置されるアイコンを前記操作情報に基づいて前記位置指定領域に対して指定することにより、前記表示領域の表示画像のソースとして該アイコンに対応する画像ソース又はパターン画像ソースを設定するソース設定部として機能させ、
前記画像ソースは、
前記表示装置との間で接続を確立している１又は複数の前記端末装置を含み、
前記パターン画像ソースは、
所定のパターン画像に対応した画像情報を生成するソースを含むことを特徴とするプログラム。
【請求項２】
請求項１において、
前記画像生成部は、
前記画像ソース又は前記パターン画像ソースからの画像情報を用いて前記表示装置により表示される全体画像の表示領域を区分した１又は複数の区分表示領域に対応した１又は複数の位置指定領域と、各区分表示領域に対して指定可能な画像ソース又はパターン画像ソースに対応した１又は複数のアイコンが配置されるアイコン配置領域とを有する構成指定画像を生成し、
前記ソース設定部は、
前記操作情報に基づいて各位置指定領域に対して指定されたアイコンに対応する画像ソース又はパターン画像ソースを、各位置指定領域に対応する区分表示領域の表示画像のソースとして設定することを特徴とするプログラム。
【請求項３】
請求項１又は２において、
前記位置指定領域に対する画像ソース又はパターン画像ソースの指定の変更要求を前記表示装置に対して行い、該変更要求に対応する応答に応じて画像情報を前記表示装置に対して出力する処理を行う出力処理部を含むことを特徴とするプログラム。
【請求項４】
請求項３において、
前記出力処理部は、
前記パターン画像ソースに対応するアイコンが前記位置指定領域に対して指定された変更要求が前記応答に基づいて許可されたとき、前記所定のパターン画像に対応した画像情報を前記表示装置に対して出力する処理を行うことを特徴とするプログラム。
【請求項５】
請求項３において、
前記出力処理部は、
前記パターン画像ソースに対応するアイコンが前記位置指定領域に対して指定された変更要求が前記応答に基づいて許可されたとき、前記所定のパターン画像の表示指示を前記表示装置に対して出力する処理を行うことを特徴とするプログラム。
【請求項６】
請求項１乃至５のいずれかにおいて、
前記パターン画像ソースは、全黒画像に対応した画像情報を生成することを特徴とするプログラム。
【請求項７】
請求項１乃至５のいずれかにおいて、
前記パターン画像ソースは、全白画像に対応した画像情報を生成することを特徴とするプログラム。
【請求項８】
請求項１乃至５のいずれかにおいて、
前記パターン画像ソースは、予め登録された画像情報を生成することを特徴とするプログラム。
【請求項９】
請求項１乃至５のいずれかにおいて、
前記パターン画像ソースは、予め登録されたテキスト情報に対応した画像情報を生成することを特徴とするプログラム。
【請求項１０】
表示装置と接続を確立して前記表示装置に表示させる画像のソースを設定する端末装置であって、
操作情報が入力される入力部と、
表示装置の表示領域に対応した位置指定領域と、該位置指定領域に対して指定可能な画像ソース又はパターン画像ソースに対応した１又は複数のアイコンが配置されるアイコン配置領域とを有する構成指定画像を生成する画像生成部と、
前記アイコン配置領域に配置されるアイコンを前記操作情報に基づいて前記位置指定領域に対して指定することにより、前記表示領域の表示画像のソースとして該アイコンに対応する画像ソース又はパターン画像ソースを設定するソース設定部とを含み、
前記画像ソースは、
前記表示装置との間で接続を確立している１又は複数の前記端末装置を含み、
前記パターン画像ソースは、
所定のパターン画像に対応した画像情報を生成するソースを含むことを特徴とする端末装置。
【請求項１１】
請求項１０記載の端末装置と、
前記端末装置により指定された画像ソース又はパターン画像ソースからの画像情報に基づく画像を前記表示領域に表示する前記表示装置とを含むことを特徴とする表示システム。
【請求項１２】
請求項１１において、
前記端末装置によって前記パターン画像ソースに対応するアイコンが前記位置指定領域に指定された変更要求が、前記表示装置からの応答に基づいて許可されたとき、
前記端末装置が、前記所定のパターン画像に対応した画像情報を前記表示装置に対して出力し、前記表示装置が、前記表示領域に前記画像情報に対応した画像を表示することを特徴とする表示システム。
【請求項１３】
請求項１１において、
前記端末装置によって前記パターン画像ソースに対応するアイコンが前記位置指定領域に指定された変更要求が、前記表示装置からの応答に基づいて許可されたとき、
前記表示装置が、前記表示領域に前記所定のパターン画像に対応した画像情報に基づいて画像を表示することを特徴とする表示システム。
【発明の詳細な説明】
【技術分野】
【０００１】
本発明は、プログラム、情報記憶媒体、端末装置、及び表示システム等に関する。
【背景技術】
【０００２】
従来より、プロジェクター等の表示装置において、画像の表示中に、一時的に特定の画像に切り替えたい場合がある。このような画像としては、画像ミュート期間中であることを示す画像や、ユーザーが予め登録したユーザーロゴ画像等がある。例えば、特許文献１には、画像ミュート機能を搭載したプロジェクターにおいて、画像ミュート期間中に、画面全体を黒色にする全黒画像やユーザーロゴ画像を表示する技術が開示されている。また、例えば非特許文献１には、画像ミュート期間中にプロジェクターに投写させる画像を、黒色画像、青色画像、ユーザーロゴ画像の中から選択するメニュー画面が開示されている。
【先行技術文献】
【特許文献】
【０００３】
【特許文献１】特開２００３−２８００８７号公報
【非特許文献】
【０００４】
【非特許文献１】セイコーエプソン株式会社，製品マニュアルダウンロード，［online］，液晶プロジェクター  EB-1775W  取扱説明書，［平成２３年３月１日検索］，インターネット<URL:http://dl.epson.jp/support/manual/data/elp/eb1775w/U_GUIDE_1775W.PDF>
【発明の概要】
【発明が解決しようとする課題】
【０００５】
しかしながら、特許文献１や非特許文献１では、画像ミュート機能を呼び出すために、画像ミュート機能用に特別に割り当てられた操作ボタンの押下等の特別の操作が必要になる。そのため、直ぐに画像ミュート機能を呼び出すことができない場合が多い。このように、画像ミュート機能のような特定の画像に切り替えたい場合でも、特別の操作が必要なため、直ぐに画像の切り替えを行うことができないという問題があった。
【０００６】
本発明は、以上のような技術的課題に鑑みてなされたものである。本発明の幾つかの態様によれば、全黒画像等の所定のパターン画像の切り替えを簡単な操作で実現するプログラム、情報記憶媒体、端末装置、及び表示システム等を提供することができる。
【課題を解決するための手段】
【０００７】
（１）本発明の一態様は、プログラムが、表示装置と接続を確立して前記表示装置に表示させる画像のソースを設定する端末装置が有するコンピューターを、操作情報が入力される入力部と、表示装置の表示領域に対応した位置指定領域と、該位置指定領域に対して指定可能な画像ソース又はパターン画像ソースに対応した１又は複数のアイコンが配置されるアイコン配置領域とを有する構成指定画像を生成する画像生成部と、前記アイコン配置領域に配置されるアイコンを前記操作情報に基づいて前記位置指定領域に対して指定することにより、前記表示領域の表示画像のソースとして該アイコンに対応する画像ソース又はパターン画像ソースを設定するソース設定部として機能させ、前記画像ソースは、前記表示装置との間で接続を確立している１又は複数の前記端末装置を含み、前記パターン画像ソースは、所定のパターン画像に対応した画像情報を生成するソースを含む。
【０００８】
本態様では、構成指定画像において、画像ソースと、仮想的に画像ソースとして割り当てたパターン画像ソースのアイコンを配置し、ユーザーの操作情報によりアイコンを位置指定領域に対して指定可能としている。これにより、他の画像ソースと同様に扱う直感的な操作により、所定のパターン画像を表示する画像を表示させることができるようになる。
【０００９】
（２）本発明の第２の態様に係るプログラムでは、第１の態様において、前記画像生成部は、前記画像ソース又は前記パターン画像ソースからの画像情報を用いて前記表示装置により表示される全体画像の表示領域を区分した１又は複数の区分表示領域に対応した１又は複数の位置指定領域と、各区分表示領域に対して指定可能な画像ソース又はパターン画像ソースに対応した１又は複数のアイコンが配置されるアイコン配置領域とを有する構成指定画像を生成し、前記ソース設定部は、前記操作情報に基づいて各位置指定領域に対して指定されたアイコンに対応する画像ソース又はパターン画像ソースを、各位置指定領域に対応する区分表示領域の表示画像のソースとして設定する。
【００１０】
本態様によれば、表示装置により表示される全体画像の表示領域を区分した１又は複数の区分表示領域に対応した１又は複数の位置指定領域と、アイコン配置領域とを有する構成指定画像を生成するようにしている。これにより、所定のパターン画像についても、他の画像ソースと同様に扱う直感的な操作により、全体画像の構成を変更することができるようになる。
【００１１】
（３）本発明の第３の態様に係るプログラムでは、第１の態様又は第２の態様において、前記位置指定領域に対する画像ソース又はパターン画像ソースの指定の変更要求を前記表示装置に対して行い、該変更要求に対応する応答に応じて画像情報を前記表示装置に対して出力する処理を行う出力処理部を含む。
【００１２】
本態様によれば、画像ソースの指定の変更要求を表示装置に対して行い、該変更要求に対応した応答に応じて表示装置に対して画像情報を出力するようにしたので、複数の端末装置による画像を含む全体画像を正しく表示させることができる。
【００１３】
（４）本発明の第４の態様に係るプログラムでは、第３の態様において、前記出力処理部は、前記パターン画像ソースに対応するアイコンが前記位置指定領域に対して指定された変更要求が前記応答に基づいて許可されたとき、前記所定のパターン画像に対応した画像情報を前記表示装置に対して出力する処理を行う。
【００１４】
本態様によれば、上記の効果に加えて、端末装置側で生成した所定のパターン画像を含む画像を表示装置に表示させることができるようになる。これにより、パターン画像の生成に伴う負荷を表示装置側にかけることなく、端末装置側で任意のパターン画像を生成して、表示装置により表示させることができる。
【００１５】
（５）本発明の第５の態様に係るプログラムでは、第３の態様において、前記出力処理部は、前記パターン画像ソースに対応するアイコンが前記位置指定領域に対して指定された変更要求が前記応答に基づいて許可されたとき、前記所定のパターン画像の表示指示を前記表示装置に対して出力する処理を行う。
【００１６】
本態様によれば、上記の効果に加えて、表示装置側で生成した所定のパターン画像を含む画像を表示装置に表示させることができるようになる。これにより、パターン画像の生成に伴う負荷を端末装置側にかけることなく、表示装置側で任意のパターン画像を生成して、表示させることができる。
【００１７】
（６）本発明の第６の態様に係るプログラムでは、第１の態様乃至第５の態様のいずれかにおいて、前記パターン画像ソースは、全黒画像に対応した画像情報を生成する。
【００１８】
本態様によれば、他の画像ソースと同様に扱う直感的な操作により、表示装置により表示される画像の一部又は全部を、一時的にミュートさせることができる。
【００１９】
（７）本発明の第７の態様に係るプログラムでは、第１の態様乃至第５の態様のいずれかにおいて、前記パターン画像ソースは、全白画像に対応した画像情報を生成する。
【００２０】
本態様によれば、他の画像ソースと同様に扱う直感的な操作により、表示装置の表示領域の一部又は全部を一時的に明るくすることができるようになる。これにより、会議やプレゼンテーションをより充実させることができるようになる。
【００２１】
（８）本発明の第８の態様に係るプログラムでは、第１の態様乃至第５の態様のいずれかにおいて、前記パターン画像ソースは、予め登録された画像情報を生成する。
【００２２】
本態様によれば、例えば会議に参加する他の参加者への伝言等を表す画像を、他の画像ソースと同様に扱う直感的な操作により、表示させることができるようになる。
【００２３】
（９）本発明の第９の態様に係るプログラムでは、第１の態様乃至第５の態様のいずれかにおいて、前記パターン画像ソースは、予め登録されたテキスト情報に対応した画像情報を生成する。
【００２４】
本態様によれば、壁紙等の好みの画像を、他の画像ソースと同様に扱う直感的な操作により、表示させることができるようになる。
【００２５】
（１０）本発明の第１０の態様は、操作情報が入力される端末装置が有するコンピューターにより読み取り可能なプログラムを記憶した情報記憶媒体が、上記のいずれか記載のプログラムを記憶している。
【００２６】
本態様によれば、他の画像ソースと同様に扱う直感的な操作により、所定のパターン画像を表示する画像を表示させるプログラムを記憶する情報記憶媒体を提供することができるようになる。
【００２７】
（１１）本発明の第１１の態様は、端末装置が、表示装置と接続を確立して前記表示装置に表示させる画像のソースを設定する端末装置であって、操作情報が入力される入力部と、表示装置の表示領域に対応した位置指定領域と、該位置指定領域に対して指定可能な画像ソース又はパターン画像ソースに対応した１又は複数のアイコンが配置されるアイコン配置領域とを有する構成指定画像を生成する画像生成部と、前記アイコン配置領域に配置されるアイコンを前記操作情報に基づいて前記位置指定領域に対して指定することにより、前記表示領域の表示画像のソースとして該アイコンに対応する画像ソース又はパターン画像ソースを設定するソース設定部とを含み、前記画像ソースは、前記表示装置との間で接続を確立している１又は複数の前記端末装置を含み、前記パターン画像ソースは、所定のパターン画像に対応した画像情報を生成するソースを含む。
【００２８】
本態様によれば、構成指定画像において、画像ソースと、仮想的に画像ソースとして割り当てたパターン画像ソースのアイコンを配置し、ユーザーの操作情報によりアイコンを位置指定領域に対して指定可能としたので、他の画像ソースと同様に扱う直感的な操作により、所定のパターン画像を表示する画像を表示させることができるようになる。
【００２９】
（１２）本発明の第１２の態様は、表示システムが、上記記載の端末装置と、前記端末装置により指定された画像ソース又はパターン画像ソースからの画像情報に基づく画像を前記表示領域に表示する前記表示装置とを含む。
【００３０】
本態様によれば、他の画像ソースと同様に扱う直感的な操作により、所定のパターン画像を表示する画像を表示させる表示システムを提供することができるようになる。
【００３１】
（１３）本発明の第１３の態様に係る表示システムは、第１２の態様において、前記端末装置によって前記パターン画像ソースに対応するアイコンが前記位置指定領域に指定された変更要求が、前記表示装置からの応答に基づいて許可されたとき、前記端末装置が、前記所定のパターン画像に対応した画像情報を前記表示装置に対して出力し、前記表示装置が、前記表示領域に前記画像情報に対応した画像を表示する。
【００３２】
本態様によれば、表示装置側に負荷をかけることなく、他の画像ソースと同様に扱う直感的な操作により、所定のパターン画像を表示する画像を表示させることが可能な表示システムを提供することができるようになる。
【００３３】
（１４）本発明の第１４の態様に係る表示システムは、第１２の態様において、前記端末装置によって前記パターン画像ソースに対応するアイコンが前記位置指定領域に指定された変更要求が、前記表示装置からの応答に基づいて許可されたとき、前記表示装置が、前記表示領域に前記所定のパターン画像に対応した画像情報に基づいて画像を表示する。
【００３４】
本態様によれば、端末装置側に負荷をかけることなく、他の画像ソースと同様に扱う直感的な操作により、所定のパターン画像を表示する画像を表示させることが可能な表示システムを提供することができるようになる。
【図面の簡単な説明】
【００３５】
【図１】第１の実施形態における表示システムの構成例を示す図。
【図２】図１のプロジェクターの構成例の機能ブロック図。
【図３】図１のＰＣの構成例の機能ブロック図。
【図４】第１の実施形態におけるＰＣの画像表示手順の一例のフローチャート。
【図５】第１の実施形態におけるプロジェクターの画像表示手順の一例のフローチャート。
【図６】第１の実施形態におけるＰＣとプロジェクターとの間の情報のやりとりを示すシーケンス図。
【図７】第１の実施形態における構成指定画像の一例を示す図。
【図８】第１の実施形態における参加者によるドラッグアンドドロップ操作の説明図。
【図９】第１の実施形態における各ＰＣ及びプロジェクターにおける画像遷移の一例を示す図。
【図１０】第１の実施形態における各ＰＣ及びプロジェクターにおける画像遷移の他の例を示す図。
【図１１】仮想ソースとしてユーザーロゴ画像を表示するアイコンを指定した場合の全体画像の一例を模式的に示す図。
【図１２】仮想ソースとしてテキスト情報を表示するアイコンを指定した場合の全体画像の一例を模式的に示す図。
【図１３】第２の実施形態におけるプロジェクターの構成例の機能ブロック図。
【図１４】第２の実施形態におけるＰＣの構成例の機能ブロック図。
【図１５】第２の実施形態におけるＰＣの画像表示手順の一例のフローチャート。
【図１６】第２の実施形態におけるプロジェクターの画像表示手順の一例のフローチャート。
【図１７】第２の実施形態におけるＰＣとプロジェクターとの間の情報のやりとりを示すシーケンス図。
【図１８】第１の実施形態又は第２の実施形態の変形例における構成指定画像の一例を示す図。
【発明を実施するための形態】
【００３６】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００３７】
また、以下の実施形態では、本発明に係る表示装置としてプロジェクター、本発明に係る端末装置としてパーソナルコンピューター（Personal Computer：以下、ＰＣ）を例に説明するが、本発明はこれらに限定されるものではない。
【００３８】
〔第１の実施形態〕
図１に、本発明に係る第１の実施形態における表示システムの構成例を示す。
この表示システム１０は、プロジェクター（広義には、表示装置）１００と、ＰＣ（広義には、端末装置）２００−１〜２００−４とを備えている。図１では、プロジェクター１００及びＰＣ２００−１〜２００−４は、アクセスポイント３００を介して無線接続されている。プロジェクター１００は、ＰＣ２００−１〜２００−４からの画像情報に基づいて最大４つの個別画像３０〜３３を含む全体画像２０をスクリーンＳＣＲに投写することができるようになっている。例えば、会議に参加する４人の参加者（ユーザー）の各々は、個別に割り当てられたＰＣに表示される構成指定画像のアイコン等を操作することにより、全体画像２０における個別画像３０〜３３の構成を変更することができる。図１では、各参加者のＰＣの画面に表示される画像が、全体画像２０の対応する領域に表示されている。以下では、ＰＣ２００−１〜２００−４の各々が同様の構成を有するものとし、適宜、ＰＣ２００として説明する。
【００３９】
図２に、図１のプロジェクター１００の構成例の機能ブロック図を示す。
プロジェクター１００は、表示側通信部（受信部）１１０と、表示側情報生成部１２０と、表示側画像生成部１３０と、表示側記憶部１４０と、表示側更新部１５０と、投写部（表示側表示部）１９０とを備えている。表示側記憶部１４０は、画像データ１４２、画像構成データ１４４、及び装置管理データ１４６等を記憶する。画像データ１４２は、ＰＣ２００−１〜ＰＣ２００−４からの画像情報等である。画像構成データ１４４は、全体画像２０及び構成指定画像の構成を示す。装置管理データ１４６は、通信対象の装置を示す。
【００４０】
表示側通信部１１０は、アクセスポイント３００を介してＰＣ２００−１〜２００−４と通信を行い、例えば各ＰＣからの画像情報等を受信する受信部としても機能する。表示側情報生成部１２０は、ＰＣ２００−１〜２００−４に送信する各種情報を生成する。表示側画像生成部１３０は、投写部１９０に表示する画像に対応した画像情報を生成する。このとき、表示側画像生成部１３０は、画像データ１４２を用いて当該画像情報を生成する。表示側更新部１５０は、表示側記憶部１４０内のデータを更新する処理を行う。投写部１９０は、表示側画像生成部１３０によって生成された画像を、スクリーンＳＣＲに投写する。
【００４１】
プロジェクター１００を構成する各部の機能は、ハードウェアにより実現されてもよい。例えば、表示側通信部１１０の機能は、無線通信ユニット等により実現される。表示側情報生成部１２０及び表示側更新部１５０の機能は、中央演算処理装置（Central Processing Unit：以下、ＣＰＵ）等により実現される。表示側画像生成部１３０の機能は、画像処理回路等により実現される。表示側記憶部１４０の機能は、ランダムアクセスメモリー（Random Access Memory：以下、ＲＡＭ）等により実現される。投写部１９０は、はランプ、液晶パネル、液晶駆動回路、レンズ等により実現される。
【００４２】
図３に、図１のＰＣ２００の構成例の機能ブロック図を示す。
ＰＣ２００は、端末側通信部（送信部）２１０と、端末側情報生成部２２０と、端末側画像生成部２３０と、端末側記憶部２４０と、端末側更新部２５０と、入力部２６０と、パターン画像生成部（パターン画像ソース）２７０と、端末側表示部２９０とを備えている。端末側情報生成部２２０は、ソース設定部２２２と、出力処理部２２４とを備えている。端末側記憶部２４０は、画像データ２４２、画像構成データ２４４、及び装置管理データ２４６等を記憶する。画像データ２４２は、画像情報等である。画像構成データ２４４は、全体画像２０及び構成指定画像の構成を示す。装置管理データ２４６は、通信対象の装置を示す。
【００４３】
端末側通信部２１０は、アクセスポイント３００を介してプロジェクター１００と通信を行い、例えばプロジェクター１００へ向けた画像情報等を送信する送信部としても機能する。端末側情報生成部２２０は、プロジェクター１００に送信する各種情報を生成する。ソース設定部２２２は、全体画像２０を構成する画像のソースの設定処理を行う。出力処理部２２４は、プロジェクター１００に対する各種情報の出力処理を行う。端末側画像生成部２３０は、各自のＰＣの画面に表示する画像に対応した画像情報を生成する。例えば、端末側画像生成部２３０は、画像データ２４２を用いて画像情報を生成する。端末側更新部２５０は、端末側記憶部２４０内のデータを更新する処理を行う。入力部２６０には、参加者からの操作情報が入力される。パターン画像生成部２７０は、所定のパターン画像に対応した画像情報を生成する。所定のパターン画像として、全黒画像、全白画像、ユーザーロゴ画像又はテキスト情報を表す画像（テキスト画像）等がある。例えば、パターン画像生成部２７０は、画像データ２４２を用いて画像情報を生成する。端末側表示部２９０は、端末側画像生成部２３０によって生成された画像、又はパターン画像生成部２７０によって生成されたパターン画像を表示する。なお、パターン画像生成部２７０の機能は、端末側画像生成部２３０が備えていてもよい。
【００４４】
ＰＣ２００を構成する各部の機能は、ハードウェアにより実現されてもよい。例えば、端末側通信部２１０の機能は、無線通信ユニット等により実現される。端末側情報生成部２２０及び端末側更新部２５０の機能は、ＣＰＵ等により実現される。入力部２６０の機能は、キーボードやマウス等に接続されるＵＳＢ（Universal Serial Bus）ポート等により実現される。端末側画像生成部２３０及びパターン画像生成部２７０の機能は、画像処理回路等により実現される。端末側記憶部２４０の機能は、ＲＡＭ等により実現される。端末側表示部２９０の機能は、バックライト、液晶パネル、及び液晶駆動回路等により実現される。
【００４５】
また、ＰＣ２００が有するコンピューターは、情報記憶媒体２８０に記憶されたプログラムを読み取って端末側画像生成部２３０等として機能してもよい。このような情報記憶媒体２８０としては、例えばＣＤ−ＲＯＭ（Compact Disk Read Only Memory），ＤＶＤ−ＲＯＭ（Digital Versatile Disk Read Only Memory)，ＲＯＭ（Read Only Memory)，ＲＡＭ，ＨＤＤ（Hard Disk Drive）等を適用することができる。
【００４６】
次に、表示システム１０における画像の構成変更要求に応じた全体画像２０の投写手順について説明する。ＰＣ２００は、構成指定画像を表示し、該構成指定画像を見ながら会議の参加者が操作することで全体画像の構成変更要求をプロジェクター１００に対して行う。
図４に、第１の実施形態におけるＰＣ２００の画像表示手順の一例のフローチャートを示す。
図５に、第１の実施形態におけるプロジェクター１００の画像表示手順の一例のフローチャートを示す。
図６に、第１の実施形態におけるＰＣ２００とプロジェクター１００との間の情報のやりとりを示すシーケンス図を示す。図６において、図４及び図５の対応するステップもあわせて図示している。
【００４７】
まず、図４を参照しながら、ＰＣ２００の画像表示手順について説明する。
会議の参加者は、自分のＰＣ２００をプロジェクター１００に接続させるため、ＰＣ２００のキーボードやマウス等を操作することにより、プロジェクター検索プログラムの実行指示を行う。プロジェクター検索プログラムは、予めＰＣ２００にインストールされているものとする。端末側情報生成部２２０は、入力部２６０からの当該実行指示を示す情報に基づき、ネットワークにおける各装置の接続状態等を確認するための状態確認情報を生成する。端末側通信部２１０は、当該状態確認情報をプロジェクター１００へ向け送信し、プロジェクター１００から各装置の接続状態等を示す状態通知情報を受信する。端末側更新部２５０は、当該状態通知情報に基づき、装置管理データ２４６を更新し、端末側画像生成部２３０は、画像データ２４２と装置管理データ２４６とに基づき、プロジェクター１００の検索結果を示す検索画像を生成する。端末側表示部２９０は、当該検索画像を表示する（ステップＳ１）。
【００４８】
検索画像には、プロジェクター１００の状態、プロジェクター名、ＩＰ（Internet Protocol）アドレス等と共に、参加者が会議に参加する（ＰＣ２００をプロジェクター１００に接続する）ための参加ボタン画像等が表示される。参加者は、ＰＣ２００のマウス等を用いて、この検索画像内の参加ボタン画像をクリックすることにより、会議への参加指示を行う。端末側情報生成部２２０は、入力部２６０からの当該参加指示を示す情報に基づき、参加要求情報を生成する。端末側通信部２１０は、当該参加要求情報をプロジェクター１００へ向け送信し、プロジェクター１００から状態通知情報を受信する。端末側更新部２５０は、当該状態通知情報に基づき、装置管理データ２４６を更新する（ステップＳ２）。
【００４９】
端末側更新部２５０は、端末側通信部２１０においてプロジェクター１００から構成指定画像の構成を示す画像構成情報を受信したか否かを判定する（ステップＳ３）。画像構成情報が受信されたとき（ステップＳ３：Ｙ）、端末側更新部２５０は、当該画像構成情報に基づき、画像構成データ２４４を更新する。端末側画像生成部２３０は、画像構成データ２４４に基づき、構成指定画像を生成し、端末側表示部２９０は、構成指定画像を表示する（ステップＳ４）。
【００５０】
ここで、第１の実施形態における構成指定画像について説明する。
図７に、第１の実施形態における構成指定画像の一例を示す。この構成指定画像は、図１のＰＣ２００−１〜ＰＣ２００−４の各々の画面に表示される画像である。図７において、ＰＣ２００−１のコンピューター名を「ＣＰＡ」、ＰＣ２００−２のコンピューター名を「ＣＰＢ」、ＰＣ２００−３のコンピューター名を「ＣＰＣ」、ＰＣ２００−４のコンピューター名を「ＣＰＤ」であるものとする。図７は、図１のＰＣ２００−１の画面に表示される画像の一例を表す。
【００５１】
構成指定画像５００は、表示モード選択領域５１０と、ソース選択領域５３０と、アイコン配置領域５４０とにより構成される。表示モード選択領域５１０には、全体画像２０を構成する個別画像の個数を変更するための表示モードボタン画像５１２，５１４，５１６が配置される。表示モードボタン画像５１２は、全体画像２０の表示領域を区分せずに１つの画像をフルスクリーンで表示するためのボタン画像である。表示モードボタン画像５１４は、全体画像２０を区分して２つの画像までを同時に表示するためのボタン画像である。表示モードボタン画像５１６は、全体画像２０を区分して４つの画像までを同時に表示するためのボタン画像である。
【００５２】
ソース選択領域５３０には、プロジェクター１００の投写領域（表示装置の表示領域）に対応した位置指定領域が設けられる。具体的には、ソース選択領域５３０には、全体画像２０の表示領域を区分した１又は複数の区分表示領域に対応した１又は複数の位置指定領域が設けられる。図７では、全体画像２０を構成する個別画像３０〜３３に対応して、２行２列の４つの位置指定領域５３１〜５３４が設けられている。また、ソース選択領域５３０には、参加者の操作に応じて位置指定領域５３１〜５３４を移動し、表示する個別画像を選択させるための矩形状のカーソル画像５９０等が配置される。
【００５３】
アイコン配置領域５４０には、表示ボタン画像５２０、一時停止ボタン画像５２４、アイコン５５０，５５２，５５４，５５６，５５８，５６０が配置される。表示ボタン画像５２０は、全体画像２０の表示を指示するためのボタン画像である。一時停止ボタン画像５２４は、現在の全体画像２０の表示を維持する指示を行うためのボタン画像である。アイコン５５０，５５２，５５４，５５６の各々は、プロジェクター１００との間で接続を確立したＰＣ２００−１〜２００−４の各々を画像ソース（映像ソース）として表すアイコンである。
【００５４】
アイコン５５８は、全黒画像を表示するパターン画像ソース（パターン映像ソース）を表すアイコンである。即ち、アイコン５５８は、ＰＣ２００が有する全黒画像に対応した画像情報を生成するパターン画像生成部２７０を、画像ソースとして仮想的に割り当て、画像ソースに対する操作と同様の操作でソースを選択するために仮想ソースとして表したものである。また、アイコン５６０は、全白画像を表示するパターン画像ソースを表すアイコンである。即ち、アイコン５６０は、ＰＣ２００が有する全白画像に対応した画像情報を生成するパターン画像生成部２７０を、画像ソースとして仮想的に割り当て、仮想ソースとして表したものである。なお、図７のアイコン配置領域５４０において、アイコン５５８，５６０に代えて、若しくは追加して、ユーザーロゴ画像を表示するパターン画像ソースを表すアイコンや、予め登録されたテキスト情報を表示するパターン画像ソースを表すアイコンを配置するようにしてもよい。なお、構成指定画像５００は、「ファイル」、「ツール」、「ヘルプ」を示すメニュー画像、接続プロジェクター名を示す画像等を含む。図７では、プロジェクター１００のプロジェクター名が「ＥＭＰ００００００００」であることを示す。
【００５５】
図７では、ソース選択領域５３０において、左上領域にある位置指定領域５３１に「ＣＰＡ」を示すマーク画像５７０が配置され、右上領域にある位置指定領域５３２に「ＣＰＢ」を示すマーク画像５７２が配置されるものとする。また、このソース選択領域５３０において、左下領域にある位置指定領域５３３に「ＣＰＣ」を示すマーク画像５７４が配置されるが、右下額域にある位置指定領域５３４には、マーク画像が配置されていないものとする。このとき、会議の参加者は３名である。また、全体画像２０において表示中である場合はマーク画像５７０，５７２，５７４の背景が白で表示され、表示中でない場合はマーク画像５７０，５７２，５７４の背景がグレーで表示される。例えば、図７に示す例では、マーク画像５７０，５７２の背景が白になっており、全体画像２０にＰＣ２００−１，ＰＣ２００−２の２つの個別画像が左右に並んで配置されていることを示す。
【００５６】
また、アイコン配置領域５４０は、自装置領域５４２と、他装置領域５４４とを備えている。他装置領域５４４には、参加順（プロジェクター１００への接続順）に左から他のＰＣ２００を示すアイコン５５２，５５４，５５６と、仮想ソースを示すアイコン５５８，５６０とが配置される。自装置領域５４２には、参加順にかかわらず固定的に自装置を示すアイコン５５０が配置される。アイコン５５０，５５２，５５４，５５６の背景はソース選択領域５３０における表示状態に応じて変化する。例えば、図７に示す例では、マーク画像が表示され、且つ、個別画像が表示されている表示中状態であるアイコン５５０，５５２の背景は白で表示される。マーク画像が表示され、且つ、個別画像が表示されていない表示待機状態であるアイコン５５４の背景はグレーで表示される。マーク画像が表示されていない非表示状態であるアイコン５５６の背景には何も表示されていない。なお、アイコン５５８，５６０についても、同様に、表示中状態と非表示中状態とで背景の色を変化させるようにしてもよい。
【００５７】
各ＰＣ２００を操作する各参加者は、各ＰＣ２００の画面に検索画像（図示せず）及び構成指定画像５００を表示して操作することが可能である。各参加者は、例えばアイコン５５０，５５２，５５４，５５６，５５８，５６０をアイコン配置領域５４０からソース選択領域５３０にドラッグアンドドロップすることで、ソース選択領域５３０の各位置指定領域に対応した画像の画像ソースを変更する。即ち、各参加者は、ソース選択領域５３０の各位置指定領域に、所望の画像ソースのアイコンをドラッグアンドドロップすることで、全体画像２０の構成を変更することができる。
【００５８】
図８に、第１の実施形態における参加者によるドラッグアンドドロップ操作の説明図を示す。図８は、図７と同様の構成指定画像５００を表しており、図７と同様の部分には同一符号を付し、適宜説明を省略する。
【００５９】
例えば、各参加者は、「ＣＰＡ」のアイコン５５０の位置にマウスポインターを重ねてクリックした状態で、位置指定領域５３１までマウスポインターを移動させてマウスから指を離す。このとき、アイコン５５０は、アイコン配置領域５４０に残ったまま、アイコン５５０と同一形態のアイコンがマウスポインターと連動して移動する。これにより、位置指定領域５３１にＰＣ２００−１に対応したマーク画像５７０を配置することができる（図７参照）。この結果、ソース設定部２２２は、全体画像２０の表示領域において、ドラッグアンドドロップ操作により移動させたアイコンに対応する画像ソース又はパターン画像ソースの画像の表示を指定する処理を行う。即ち、ソース設定部２２２は、アイコン配置領域５４０に配置されるアイコンを操作情報に基づいて位置指定領域に対して指定することにより、全体画像２０の表示領域の表示画像のソースとして該アイコンに対応する画像ソース又はパターン画像ソースを設定する。全体画像２０の表示領域が複数の区分表示領域に区分される場合には、ソース設定部２２２は、操作情報に基づいて各位置指定領域に対して指定されたアイコンに対応する画像ソース又はパターン画像ソースを、各位置指定領域に対応する区分表示領域の表示画像のソースとして設定する。そして、ＰＣ２００−１の個別画像を含む全体画像２０が、プロジェクター１００により投写させることが可能となる。
【００６０】
図４に戻って説明を続ける。
ステップＳ４に続いて、又はステップＳ３において画像構成情報が受信されなかったとき（ステップＳ３：Ｎ）、端末側情報生成部２２０は、入力部２６０からの情報に基づき、構成指定操作により構成変更があったか否かを判定する（ステップＳ５）。構成変更があったとき（ステップＳ５：Ｙ）、端末側情報生成部２２０は、ソース設定部２２２により指定された結果を反映した構成変更要求情報を生成する。端末側通信部２１０は、当該構成変更要求情報をプロジェクター１００へ向け送信する（ステップＳ６）。即ち、ステップＳ６では、ＰＣ２００からプロジェクター１００に対して、位置指定領域に対する画像ソース又はパターン画像ソースの指定の変更要求を行う。
【００６１】
ステップＳ６に続いて、又は構成変更がなかったとき（ステップＳ５：Ｎ）、端末側情報生成部２２０は、端末側通信部２１０によってプロジェクター１００から画像情報の送信開始要求情報が受信されたか否かを判定する（ステップＳ７）。送信開始要求情報が受信されたとき（ステップＳ７：Ｙ）、ＰＣ２００は、ステップＳ６で行った変更要求に対する応答として、上記の変更要求が許可されたと判断する。そして、端末側情報生成部２２０は、ステップＳ７において許可された構成変更に仮想ソースがあるか否かを判定する（ステップＳ８）。構成変更に仮想ソースがあるとき（ステップＳ８：Ｙ）、パターン画像生成部２７０は、構成変更に含まれる仮想ソースに対応するパターン画像の画像情報を生成し、出力処理部２２４は、端末側通信部２１０による当該画像情報の送信指示を含む出力処理を行う。端末側通信部２１０は、出力処理部２２４からの指示により当該画像情報をプロジェクター１００へ向け送信する（ステップＳ９）。このとき、端末側表示部２９０は、当該画像情報に対応した画像を表示する。このように出力処理部２２４は、位置指定領域に対する画像ソース又はパターン画像ソースの指定の変更要求をプロジェクター１００に対して行い、該変更要求に対応する応答に応じて画像情報をプロジェクター１００に対して出力する処理を行う。ここでは、出力処理部２２４は、パターン画像ソースに対応するアイコンが位置指定領域に対して指定された変更要求がプロジェクター１００からの応答に基づいて許可されたとき、所定のパターン画像に対応した画像情報をプロジェクター１００に対して出力する処理を行う。
【００６２】
ここで、仮想ソースが全黒画像を表示するソースを示すとき、出力処理部２２４は、端末側通信部２１０による全黒画像に対応した画像情報の送信指示を含む出力処理を行う。全黒画像は、画像を構成する全画素が黒の画像であってもよいし、画像を構成する全画素が黒に近い階調の画像や一部に黒以外の画素が含まる画像であってもよい。また、仮想ソースが全白画像を表示するソースを示すとき、出力処理部２２４は、端末側通信部２１０による全白画像に対応した画像情報の送信指示を含む出力処理を行う。全白画像は、画像を構成する全画素が白の画像であってもよいし、画像を構成する全画素が白に近い階調の画像や一部に白以外の画素が含まる画像であってもよい。更に、仮想ソースが予め登録されたテキスト情報を表示するソースを示すとき、出力処理部２２４は、端末側通信部２１０によるテキスト情報に対応した画像情報の送信指示を含む出力処理を行う。なお、仮想ソースがユーザーロゴ画像を表示するソースを示すとき、ユーザーロゴ画像に対応した画像情報をプロジェクター１００に向け送信することなく、出力処理部２２４は、端末側通信部２１０により、プロジェクター１００内に予め登録されたユーザーロゴ画像をそのままプロジェクター１００に投写させるように指示するようにしてもよい。
【００６３】
ステップＳ８において構成変更に仮想ソースがないとき（ステップＳ８：Ｎ）、端末側画像生成部２３０は、画像データ２４２に基づき、図１に示すデスクトップのグラフ画像等を示す画像情報を生成する。端末側通信部２１０は、当該画像情報をプロジェクター１００へ向け送信する（ステップＳ１０）。このとき、端末側表示部２９０は、当該画像情報に対応した画像を表示する。なお、端末側画像生成部２３０は、図１に示すグラフ画像等を生成し、当該グラフ画像等を連続的にキャプチャーして画像データ２４２として端末側記憶部２４０に格納する。また、パターン画像生成部２７０も、端末側画像生成部２３０と同様に、パターン画像を連続的にキャプチャーしてパターン画像データとして端末側記憶部２４０に格納するようにしてもよい。
【００６４】
ステップＳ９又はステップＳ１０に続いて、或いは送信開始要求情報が受信されないとき（ステップＳ７：Ｎ）、端末側情報生成部２２０は、端末側通信部２１０によってプロジェクター１００から画像情報の送信停止要求情報が受信されたか否かを判定する（ステップＳ１１）。送信停止要求情報が受信されたとき（ステップＳ１１：Ｙ）、端末側画像生成部２３０又はパターン画像生成部２７０は、画像情報の生成を停止し、端末側通信部２１０は、画像情報の送信を停止する（ステップＳ１２）。なお、この場合、端末側画像生成部２３０又はパターン画像生成部２７０は、画像のキャプチャーを停止してもよい。
【００６５】
また、参加者は、構成指定画像５００の「ツール」のサブメニューから「退出」を選択することにより自分のＰＣ２００の通信を切断することができる。更に、参加者は、当該サブメニューから「会議の終了」を選択することにより、すべてのＰＣ２００の通信を切断することができる。ステップＳ１２に続いて、又は送信停止要求情報が受信されないとき（ステップＳ１１：Ｎ）、端末側情報生成部２２０は、入力部２６０からの操作情報に基づき、「会議の終了」が選択されたか否かを判定する（ステップＳ１３）。「会議の終了」が選択されたとき（ステップＳ１３：Ｙ）、端末側情報生成部２２０は、終了要求情報を生成する。端末側通信部２１０は、当該終了要求情報をプロジェクター１００へ向け送信する（ステップＳ１４）。
【００６６】
「会議の終了」が選択されないとき（ステップＳ１３：Ｎ）、端末側情報生成部２２０は、終了要求情報の受信に応じてプロジェクター１００から送信される終了通知情報が端末側通信部２１０によって受信されたか否かを判定する（ステップＳ１５）。ステップＳ１４に続いて、又は終了通知情報を受信したとき（ステップＳ１５：Ｙ）、ＰＣ２００は、一連の処理を終了する（エンド）。ステップＳ１５において終了通知情報を受信しないとき（ステップＳ１５：Ｎ）、ＰＣ２００は、ステップＳ３に戻り、ステップＳ３〜ステップＳ１５の処理を繰り返し実行する。
【００６７】
なお、ステップＳ１３において「会議の終了」が選択されたとき、端末側情報生成部２２０は、「会議に参加中の全ユーザーはプロジェクターから切断され、検索画面に戻ります。会議を終了しますか？」といった文字列を示す確認画像を生成してもよい。また、ステップＳ１５において終了通知情報が受信されたとき、端末側情報生成部２２０は、「他のユーザーが会議を終了しました。検索画面に戻ります。」といった文字列を示す通知画像を生成してもよい。
【００６８】
次に、図５を参照しながら、プロジェクター１００の画像表示手順について説明する。
表示側情報生成部１２０は、表示側通信部１１０によってＰＣ２００から状態確認情報が受信されたか否かを判定する（ステップＰ１）。状態確認情報が受信されたとき（ステップＰ１：Ｙ）、表示側情報生成部１２０は、装置管理データ１４６に基づき、状態通知情報を生成する。表示側通信部１１０は、当該状態通知情報を送信元のＰＣ２００へ向け送信する（ステップＰ２）。
【００６９】
ステップＰ２に続いて、又は状態確認情報が受信されなかったとき（ステップＰ１：Ｎ）、表示側更新部１５０は、表示側通信部１１０によってＰＣ２００から参加要求情報が受信されたか否かを判定する（ステップＰ３）。参加要求情報が受信されたとき（ステップＰ３：Ｙ）、表示側更新部１５０は、当該参加要求情報に基づき、装置管理データ１４６を更新する。また、表示側情報生成部１２０は、装置管理データ１４６に基づき、状態通知情報を生成し、状況に応じて画像構成データ１４４に基づき、画像構成情報を生成する。表示側通信部１１０は、当該状態通知情報及び当該画像構成情報を、参加中の各ＰＣ２００へ向け送信する（ステップＰ４）。
【００７０】
ステップＰ４に続いて、又は参加要求情報が受信されなかったとき（ステップＰ３：Ｎ）、表示側更新部１５０は、表示側通信部１１０によってＰＣ２００から構成変更要求情報が受信されたか否かを判定する（ステップＰ５）。構成変更要求情報が受信されたとき（ステップＰ５：Ｙ）、表示側更新部１５０は、当該構成変更要求情報に基づき、画像構成データ１４４を更新する。また、この場合、表示側情報生成部１２０は、画像構成データ１４４に基づき、画像構成情報を生成し、状況に応じて、送信開始要求情報、送信停止要求情報を生成する。より具体的には、例えば、表示側情報生成部１２０は、新たに個別画像を表示する必要が生じた場合に当該個別画像の画像情報の送信元となるＰＣ２００に対して送信開始要求情報を生成し、個別画像を表示する必要がなくなった場合に当該個別画像の画像情報の送信元となっているＰＣ２００に対して送信停止要求情報を生成する。表示側通信部１１０は、当該画像構成情報、当該送信開始要求情報及び当該送信停止要求情報を、参加中の各ＰＣ２００へ向け送信する。また、表示側画像生成部１３０は、画像データ１４２、画像構成データ１４４に基づき、画像の構成に応じて全体画像２０を生成し、投写部１９０は、当該全体画像２０を投写する（ステップＰ６）。
【００７１】
ステップＰ６に続いて、又はステップＰ５において構成変更要求情報が受信されなかったとき（ステップＰ５：Ｎ）、表示側更新部１５０は、表示側通信部１１０によってＰＣ２００から画像情報が受信されたか否かを判定する（ステップＰ７）。画像情報が受信されたとき（ステップＰ７：Ｙ）、表示側更新部１５０は、当該画像情報に基づき、画像データ１４２を更新する。また、この場合、表示側画像生成部１３０は、画像データ１４２、画像構成データ１４４に基づき、全体画像２０を生成し、投写部１９０は、当該全体画像２０を投写する（ステップＰ８）。なお、ステップＰ８において、ＰＣ２００からユーザーロゴ画像の表示が指示されたとき、投写部１９０は、表示側画像生成部１３０によって生成されたユーザーロゴ画像を含む全体画像２０を投写する。
【００７２】
ステップＰ８に続いて、又はステップＰ７において画像情報が受信されなかったとき（ステップＰ７：Ｎ）、表示側情報生成部１２０は、表示側通信部１１０によってＰＣ２００から終了要求情報が受信されたか否かを判定する（ステップＰ９）。終了要求情報が受信されたとき（ステップＰ９：Ｙ）、表示側情報生成部１２０は、終了通知情報を生成する。表示側通信部１１０は、当該終了通知情報を各ＰＣ２００へ向け送信する。表示側更新部１５０は、会議の終了に伴い、装置管理データ１４６、画像構成データ１４４を、例えば、初期状態等に更新する（ステップＰ１０）。
【００７３】
ステップＰ１０に続いて、又はステップＰ９において終了要求情報が受信されなかったとき（ステップＰ９：Ｎ）、プロジェクター１００は、投写終了指示があるか否かを判定する（ステップＰ１１）。投写終了指示があったとき（ステップＰ１１：Ｙ）、プロジェクター１００は、上述した一連の処理を終了する（エンド）。投写終了指示がなかったとき（ステップＰ１１：Ｎ）、プロジェクター１００は、ステップＰ１に戻り、表示側情報生成部１２０において、表示側通信部１１０によってＰＣ２００から状態確認情報が受信されたか否かを判定する。
【００７４】
次に、プロジェクター１００とＰＣ２００−１〜２００−４における画像遷移についてより詳細に説明する。
図９に、第１の実施形態における各ＰＣ及びプロジェクターにおける画像遷移の一例を示す。図９は、連続する時点ｔ１〜ｔ４における各ＰＣの画面に表示される構成指定画像及びプロジェクター１００により投写される全体画像２０を模式的に表す。なお、図９では、説明を簡単にするため、全体画像２０の表示領域を区分した各区分表示領域に、ＰＣ２００−１（「ＣＰＡ」）が画像Ａを表示し、ＰＣ２００−２（「ＣＰＢ」）が画像Ｂを表示し、ＰＣ２００−３（ＣＰＣ）が画像Ｃを表示し、ＰＣ２００−４（ＣＰＤ）が画像Ｄを表示するものとする。
図１０に、第１の実施形態における各ＰＣ及びプロジェクターにおける画像遷移の他の例を示す。図１０は、時点ｔ４以降の連続する時点ｔ５〜ｔ８における各ＰＣの画面に表示される構成指定画像及びプロジェクター１００により投写される全体画像２０を模式的に表す。なお、図１０では、図９と同様に、ＰＣ２００−１〜２００−４の各々が画像Ａ〜Ｄの各々を表示するものとする。
【００７５】
図９に示す時点ｔ１では、会議に参加しているＰＣ２００は存在せず、プロジェクター１００は、単色の画像を投写している。時点ｔ１以降の時点ｔ２において、「ＣＰＡ」が最初の会議に参加する場合、プロジェクター１００は、当該参加に応じて「ＣＰＡ」の画像Ａを含む全体画像２０を投写する。この場合、各ＰＣ２００のソース選択領域５３０における右上の位置指定領域５３１の背景がグレーから白に変化する。
【００７６】
その後、「ＣＰＢ」が参加するものとする。このとき、プロジェクター１００は、自動的に画像Ｂを投写せず、「ＣＰＡ」の画像Ａを含む全体画像２０の投写を継続する。即ち、プロジェクター１００は、最初に参加したＰＣ２００の画像を、明示的な表示指示の有無にかかわらず自動的に投写するが、２番目以降に参加したＰＣ２００の画像は明示的な表示指示がなければ、投写しないようになっている。
【００７７】
時点ｔ３において、「ＣＰＡ」を操作する参加者が、ＰＣ２００−１に表示された構成指定画像５００において、「ＣＰＢ」のアイコンをソース選択領域５３０の右上領域にドラッグアンドドロップする。このとき、表示モードは１画面のままであるため、プロジェクター１００が投写する全体画像２０は変化しないが、ソース選択領域５３０に当該アイコンに対応したマーク画像が追加される。そして、「ＣＰＡ」を操作する参加者が、ＰＣ２００−１に表示された構成指定画像５００において、２画面の表示モードボタン画像５１２をクリックする。この結果、プロジェククー１００は、カーソル画像５９０の存在している行位置にあるマーク画像に対応した画像Ａ及び画像Ｂを含む全体画像２０を投写するようになる。この場合、各ＰＣ２００のソース選択領域５３０における右上の位置指定領域５３２の背景がグレーから白に変化する。
【００７８】
その後、同様に、「ＣＰＣ」、「ＣＰＤ」が参加し、「ＣＰＡ」を操作する参加者が、ＰＣ２００−１に表示された構成指定画像５００において、ＣＰＣ，ＣＰＤのアイコンをソース選択領域５３０の左下領域及び右下領域にドラッグアンドドロップする。時点ｔ４において、「ＣＰＡ」を操作する参加者が、ＰＣ２００−１に表示された構成指定画像５００において、４画面の表示モードボタン画像５１４をクリックした場合、プロジェクター１００は、ソース選択領域５３０にある各マーク画像に対応した画像Ａ、画像Ｂ、画像Ｃ及び画像Ｄを含む全体画像２０を投写する。この場合、各ＰＣ２００のソース選択領域５３０における左下の位置指定領域５３３及び右下の位置指定領域５３４の背景がグレーから白に変化する。
【００７９】
図１０に示す時点ｔ５において、「ＣＰＡ」を操作する参加者が、ＰＣ２００−１に表示された構成指定画像５００において、全黒画像を表示するアイコンをソース選択領域の左上領域にドラッグアンドドロップする。このとき、プロジェクター１００は、ソース選択領域５３０において指定した通り、全黒画像、画像Ｂ、画像Ｃ及び画像Ｄを含む全体画像２０を投写する。これにより、「ＣＰＡ」の画像Ａについては、他の画像ソースと同様に扱う直感的な操作により、一時的にミュートさせることができる。
【００８０】
時点ｔ６において、「ＣＰＡ」を操作する参加者が、ＰＣ２００−１に表示された構成指定画像５００において、全黒画像を表示する仮想ソースのアイコンをソース選択領域の右下領域にドラッグアンドドロップする。このとき、プロジェクター１００は、ソース選択領域５３０において指定した通り、全黒画像、画像Ｂ、画像Ｃ及び全黒画像を含む全体画像２０を投写する。これにより、「ＣＰＤ」の画像Ｄについては、他の画像ソースと同様に扱う直感的な操作により、一時的にミュートさせることができる。
【００８１】
時点ｔ７では、「ＣＰＡ」を操作する参加者が、ＰＣ２００−１に表示された構成指定画像５００において、全黒画像を表示する仮想ソースのアイコンをソース選択領域の右上領域及び左下領域にドラッグアンドドロップする。このとき、プロジェクター１００は、ソース選択領域５３０において指定した通り、全体が黒色の全体画像２０を投写する。これにより、他の画像ソースと同様に扱う直感的な操作により、全体画像２０を一時的にミュートさせることができる。
【００８２】
その後、時点ｔ８では、「ＣＰＡ」を操作する参加者が、ＰＣ２００−１に表示された構成指定画像５００において、全白画像を表示する仮想ソースのアイコンをソース選択領域の右上領域及び右下領域にドラッグアンドドロップする。このとき、プロジェクター１００は、ソース選択領域５３０において指定した通り、左半分が黒色で、右半分が白色の全体画像２０を投写する。これにより、他の画像ソースと同様に扱う直感的な操作により、全白画像を含む全体画像２０を投写させることができる。この場合、全白画像の表示領域が明るくなり、例えば投写面としてホワイトボードを使用したときにホワイトボード上で書いたものを見やすくでき、会議やプレゼンテーションをより充実させることができるようになる。なお、４つの位置指定領域に全白画像を表示する仮想ソースのアイコンをドラッグアンドドロップすることで、プロジェクター１００は、例えば全体が白色の全体画像２０を投写することが可能となる。
【００８３】
なお、図１０では、仮想ソースとして全黒画像又は全白画像を表示するものを例に説明したが、仮想ソースとしてユーザーロゴ画像やテキスト情報を含む画像を表示するようにしてもよい。
【００８４】
図１１に、仮想ソースとしてユーザーロゴ画像を表示するアイコンを指定した場合のプロジェクター１００による全体画像２０の一例を模式的に示す。図１１において、図９又は図１０と同様に、各ＰＣに対応する画像を表す。
【００８５】
例えば図１０に示す時点ｔ５において、「ＣＰＡ」を操作する参加者が、ＰＣ２００−１に表示された構成指定画像５００において、ユーザーロゴ画像を表示するアイコンをソース選択領域の左上領域にドラッグアンドドロップするものとする。このとき、プロジェクター１００は、ソース選択領域５３０において指定した通り、予め登録されたユーザーロゴ画像、画像Ｂ、画像Ｃ及び画像Ｄを含む全体画像２０を投写する。これにより、壁紙等の好みの画像を、他の画像ソースと同様に扱う直感的な操作により、表示させることができるようになる。
【００８６】
図１２に、仮想ソースとしてテキスト情報を表示するアイコンを指定した場合のプロジェクター１００による全体画像２０の一例を模式的に示す。図１２において、図９又は図１０と同様に、各ＰＣに対応する画像を表す。
【００８７】
例えば図１０に示す時点ｔ５において、「ＣＰＡ」を操作する参加者が、ＰＣ２００−１に表示された構成指定画像５００において、ユーザーロゴ画像を表示するアイコンをソース選択領域の右下領域にドラッグアンドドロップするものとする。このとき、プロジェクター１００は、ソース選択領域５３０において指定した通り、画像Ａ、画像Ｂ、画像Ｃ及び予め登録されたテキスト情報を含む全体画像２０を投写する。図１２では、テキスト情報として、予め登録された「席を外しています。」と表す情報が登録されているものとする。これにより、会議に参加する他の参加者への伝言等を表す画像を、他の画像ソースと同様に扱う直感的な操作により、表示させることができるようになる。
【００８８】
以上説明したように、第１の実施形態によれば、ＰＣ２００は、プロジェクター１００によって表示される全体画像２０における個別画像３０〜３３の構成を指定するためのソース選択領域５３０を含む構成指定画像５００を生成し、表示することができる。これにより、会議に参加する参加者に、全体画像２０の構成をわかりやすく提示することができるようになる。そして、この構成指定画像５００において、所定のパターン画像に対応した画像情報を生成するパターン画像生成部を仮想的に画像ソースとして割り当て、アイコンとして指定可能に表示するようにしている。これにより、他の画像ソースと同様に扱う直感的な操作により、所定のパターン画像を全体画像に表示させることができるようになる。
【００８９】
また、第１の実施形態においては、ＰＣ２００は、自端末装置のアイコン５５０を他端末装置のアイコン５５２〜５５６や仮想ソースのアイコン５５８，５６０と異なる形態で示す画像を、アイコン配置領域５４０に生成するようにしている。これにより、参加者は、他端末装置のアイコン５５２〜５５６や仮想ソースのアイコン５５８，５６０と比べて操作する頻度が高い自端末装置のアイコン５５０を操作しやすくなる。そのため、プロジェクター１００によってＰＣ２００からの画像情報に基づく個別画像を含む全体画像２０が表示される場合に、全体画像２０の構成を変更する際の操作をより行いやすくすることができるようになる。従って、各参加者がそれぞれのＰＣ２００を用いて全体画像２０の構成を変更する場合においても、各参加者は効率的に所望の操作を行うことができるようになる。
【００９０】
更に、第１の実施形態によれば、ＰＣ２００は、自端末装置のアイコン５５０の表示位置を固定することにより、参加者は、他端末装置のアイコン５５２〜５５６や仮想ソースを示すアイコン５５８，５６０と比べて操作する頻度が高い自端末装置のアイコンを操作しやすくなる。
【００９１】
更にまた、第１の実施形態では、プロジェクター１００は、最初に参加要求情報を送信したＰＣ２００からの画像情報に基づく個別画像を、明示的な表示指示の有無にかかわらず表示する。その一方、参加要求情報を送信した２台目以降のＰＣ２００からの画像情報に基づく個別画像については、明示的な表示指示がない状態では表示せず、明示的な表示指示があった場合に表示する。こうすることで、複数台のＰＣ２００から参加要求等を受け付ける場合であっても、適切かつ迅速に全体画像を表示することができる。
【００９２】
例えば、表示装置が、参加要求情報を送信した２台目以降のＰＣ２００からの画像情報に基づく個別画像を表示すると、既存の全体画像の構成が変化してしまい、プレゼンテーション等の妨げになってしまう。これに対して、第１の実施形態によれば、プロジェクター１００は、既存の全体画像の構成を変化させることなく、２台目以降のＰＣ２００からの参加要求等を受け付けることができるようになる。また、例えば、表示装置が、参加要求情報を送信したすべてのＰＣ２００からの画像情報に基づく個別画像を表示しない場合、１台目のＰＣ２００が常に明示的な表示指示を行わなければならず、利便性が低下してしまう。これに対して、第１の実施形態によれば、プロジェクター１００は、最初に参加要求情報を送信したＰＣ２００からの画像情報に基づく個別画像を即座に表示することができるため、利便性を向上させることができるようになる。
【００９３】
〔第２の実施形態〕
第１の実施形態では、仮想ソースとして割り当てられるパターン画像生成部が各ＰＣに内蔵される例を説明したが、本発明に係る実施形態は、これに限定されるものではない。第２の実施形態では、仮想ソースとして割り当てられるパターン画像生成部がプロジェクターに内蔵される。このような第２の実施形態におけるプロジェクターは、図１に示す表示システムに適用することができる。この場合、表示システムにおいて、ＰＣ２００−１〜２００−４に代えて、パターン画像生成部が省略された構成を有するＰＣが設けられる。
【００９４】
図１３に、第２の実施形態におけるプロジェクターの構成例の機能ブロック図を示す。図１３において、図２と同様の部分には同一符号を付し、適宜説明を省略する。
第２の実施形態におけるプロジェクター１００ａは、表示側通信部１１０と、表示側情報生成部１２０ａと、表示側画像生成部１３０と、表示側記憶部１４０と、表示側更新部１５０と、パターン画像生成部（パターン画像ソース）１７０ａと、投写部１９０とを備えている。プロジェクター１００ａが図２に示すプロジェクター１００と異なる点は、パターン画像生成部１７０ａが追加され、パターン画像生成部１７０ａの追加に伴い表示側情報生成部１２０ａの処理が異なる点である。このパターン画像生成部１７０ａは、所定のパターン画像に対応した画像情報を生成する。所定のパターン画像として、全黒画像、全白画像、ユーザーロゴ画像、又はテキスト情報を含む画像等がある。例えば、パターン画像生成部１７０ａは、画像データ１４２を用いて画像情報を生成する。投写部１９０は、表示側画像生成部１３０によって生成された画像、又はパターン画像生成部１７０ａによって生成されたパターン画像を、スクリーンＳＣＲに投写する。
【００９５】
プロジェクター１００ａを構成する各部の機能は、ハードウェアにより実現されてもよい。例えば、表示側通信部１１０の機能は、無線通信ユニット等により実現される。表示側情報生成部１２０ａ及び表示側更新部１５０の機能は、ＣＰＵ等により実現される。表示側画像生成部１３０及びパターン画像生成部１７０ａの機能は、画像処理回路等により実現される。表示側記憶部１４０の機能は、ＲＡＭ等により実現される。投写部１９０は、はランプ、液晶パネル、液晶駆動回路、レンズ等により実現される。
【００９６】
図１４に、第２の実施形態におけるＰＣの構成例の機能ブロック図を示す。図１４において、図３と同様の部分には同一符号を付し、適宜説明を省略する。
ＰＣ２００ａは、端末側通信部２１０と、端末側情報生成部２２０ａと、端末側画像生成部２３０と、端末側記憶部２４０と、端末側更新部２５０と、入力部２６０と、端末側表示部２９０とを備えている。端末側情報生成部２２０ａは、ソース設定部２２２と、出力処理部２２４ａとを備えている。ＰＣ２００ａが図３に示すＰＣ２００と異なる点は、パターン画像生成部が省略され、パターン画像生成部の省略に伴い端末側情報生成部２２０ａの処理が異なる点である。出力処理部２２４ａは、プロジェクター１００に対する各種情報の出力処理を行い、例えば、ソース設定部２２２の設定内容に応じてプロジェクター１００ａに対してパターン画像の表示指示を行うことができる。端末側表示部２９０は、端末側画像生成部２３０によって生成された画像を表示する。
【００９７】
ＰＣ２００ａを構成する各部の機能は、ハードウェアにより実現されてもよい。例えば、端末側通信部２１０の機能は、無線通信ユニット等により実現される。端末側情報生成部２２０ａ及び端末側更新部２５０の機能は、ＣＰＵ等により実現される。入力部２６０の機能は、キーボードやマウス等に接続されるＵＳＢポート等により実現される。端末側画像生成部２３０の機能は、画像処理回路等により実現される。端末側記憶部２４０の機能は、ＲＡＭ等により実現される。端末側表示部２９０の機能は、バックライト、液晶パネル、及び液晶駆動回路等により実現される。また、ＰＣ２００ａが有するコンピューターは、情報記憶媒体２８０に記憶されたプログラムを読み取って端末側画像生成部２３０等として機能してもよい。
【００９８】
次に、第２の実施形態の表示システムにおける画像の構成変更要求に応じた全体画像２０の投写手順について説明する。
図１５に、第２の実施形態におけるＰＣ２００ａの画像表示手順の一例のフローチャートを示す。図１５において、図４と同様のステップには同一符号を付している。
図１６に、第２の実施形態におけるプロジェクター１００ａの画像表示手順の一例のフローチャートを示す。図１６において、図５と同様のステップには同一符号を付している。
図１７に、第２の実施形態におけるＰＣ２００ａとプロジェクター１００ａとの間の情報のやりとりを示すシーケンス図を示す。図１７において、図１５及び図１６の対応するステップもあわせて図示している。
【００９９】
まず、図１５を参照しながら、ＰＣ２００ａの画像表示手順について説明する。図１５において、ステップＳ１〜Ｓ５は図４のステップＳ１〜Ｓ５と同様であるため説明を省略する。
ステップＳ５において、構成変更があったとき（ステップＳ５：Ｙ）、端末側情報生成部２２０ａは、変更後の構成に仮想ソースがあるか否かを判定する（ステップＳ６ａ）。仮想ソースのアイコンがあるとき（ステップＳ６ａ：Ｙ）、端末側情報生成部２２０ａは、ソース設定部２２２により指定された結果を反映して仮想ソースを含めた構成変更要求情報を生成する（ステップＳ７ａ）。仮想ソースのアイコンがないとき（ステップＳ６ａ：Ｎ）、端末側情報生成部２２０ａは、ソース設定部２２２により指定された結果を反映して仮想ソースを含まない構成変更要求情報を生成する（ステップＳ８ａ）。その後、端末側通信部２１０は、ステップＳ７ａ又はステップＳ８ａにおいて生成された構成変更要求情報をプロジェクター１００ａへ向け送信する（ステップＳ９ａ）。
【０１００】
ステップＳ９ａ又はステップＳ１０ａに続いて、或いは構成変更がなかったとき（ステップＳ５：Ｎ）、端末側情報生成部２２０は、端末側通信部２１０によってプロジェクター１００から画像情報の送信開始要求情報が受信されたか否かを判定する（ステップＳ１０ａ）。送信開始要求情報が受信されたとき（ステップＳ１０ａ：Ｙ）、端末側画像生成部２３０は、画像データ２４２に基づき、図１に示すグラフ画像等を示す画像情報を生成する。端末側通信部２１０は、当該画像情報をプロジェクター１００ａへ向け送信する（ステップＳ１１ａ）。このとき、端末側表示部２９０は、当該画像情報に対応した画像を表示する。ステップＳ１１ａでは、変更後の構成に仮想ソースがあるとき、端末側情報生成部２２０ａは、出力処理部２２４ａにおいて、プロジェクター１００ａに対してパターン画像の生成及び表示を指示する処理を行う。即ち、出力処理部２２４ａは、パターン画像ソースに対応するアイコンが位置指定領域に対して指定された変更要求がプロジェクター１００からの応答に基づいて許可されたとき、所定のパターン画像の表示指示をプロジェクター１００に対して出力する処理を行う。
【０１０１】
ステップＳ１１ａに続いて、又は送信開始要求情報が受信されないとき（ステップＳ１０ａ：Ｎ）、端末側情報生成部２２０ａは、端末側通信部２１０によってプロジェクター１００ａから画像情報の送信停止要求情報が受信されたか否かを判定する（ステップＳ１２ａ）。送信停止要求情報が受信されたとき（ステップＳ１２ａ：Ｙ）、端末側画像生成部２３０は、画像情報の生成を停止し、端末側通信部２１０は、画像情報の送信を停止する（ステップＳ１３ａ）。
【０１０２】
また、参加者は、構成指定画像５００の「ツール」のサブメニューから「退出」を選択することにより自分のＰＣ２００ａの通信を切断することができる。更に、参加者は、当該サブメニューから「会議の終了」を選択することにより、すべてのＰＣ２００ａの通信を切断することができる。ステップＳ１３ａに続いて、又はステップＳ１２ａにおいて送信停止要求情報が受信されないとき（ステップＳ１２ａ：Ｎ）、端末側情報生成部２２０ａは、入力部２６０からの操作情報に基づき、「会議の終了」が選択されたか否かを判定する（ステップＳ１４ａ）。「会議の終了」が選択されたとき（ステップＳ１４ａ：Ｙ）、端末側情報生成部２２０ａは、終了要求情報を生成する。端末側通信部２１０は、当該終了要求情報をプロジェクター１００ａへ向け送信する（ステップＳ１５ａ）。
【０１０３】
「会議の終了」が選択されないとき（ステップＳ１４ａ：Ｎ）、端末側情報生成部２２０ａは、終了要求情報の受信に応じてプロジェクター１００ａから送信される終了通知情報が端末側通信部２１０によって受信されたか否かを判定する（ステップＳ１６ａ）。ステップＳ１５ａに続いて、又は終了通知情報を受信したとき（ステップＳ１６ａ：Ｙ）、ＰＣ２００ａは、一連の処理を終了する（エンド）。ステップＳ１６ａにおいて終了通知情報を受信しないとき（ステップＳ１６ａ：Ｎ）、ＰＣ２００ａは、ステップＳ３に戻り、ステップＳ３〜ステップＳ１６ａの処理を繰り返し実行する。
【０１０４】
次に、図１６を参照しながら、プロジェクター１００ａの画像表示手順について説明する。図１６において、ステップＰ１〜Ｐ６は図４のステップＰ１〜Ｐ６と同様であるため説明を省略する。
ステップＰ６に続いて、又はステップＰ５において構成変更要求情報が受信されなかったとき（ステップＰ５：Ｎ）、表示側情報生成部１２０ａは、画像構成情報に仮想ソースが含まれるか否かを判定する（ステップＰ７ａ）。仮想ソースが含まれるとき（ステップＰ７ａ：Ｙ）、表示側更新部１５０は、画像構成データ１４４を更新して、仮想ソースのパターン画像を全体画像に追加する処理を行う（ステップＰ８ａ）。
【０１０５】
ステップＰ８ａに続いて、又は仮想ソースが含まれないとき（ステップＰ７ａ：Ｎ）、表示側更新部１５０は、表示側通信部１１０によってＰＣ２００から画像情報が受信されたか否かを判定する（ステップＰ９ａ）。画像情報が受信されたとき（ステップＰ９ａ：Ｙ）、表示側更新部１５０は、当該画像情報に基づき、画像データ１４２を更新する。また、この場合、表示側画像生成部１３０は、画像データ１４２、画像構成データ１４４に基づき画像情報を生成する。また、ステップＰ７ａにおいて仮想ソースが含まれるときには、パターン画像生成部１７０ａがパターン画像に対応した画像情報を生成する。投写部１９０は、表示側画像生成部１３０又はパターン画像生成部１７０ａにより生成された画像情報により生成される全体画像２０を、スクリーンＳＣＲに投写する（ステップＰ１０ａ）。なお、表示側画像生成部１３０は、パターン画像生成部１７０ａの機能を有していてもよい。また、全体画像２０の生成は、表示側画像生成部１３０が行ってもよい。
【０１０６】
ステップＰ１０ａに続いて、又はステップＰ９ａにおいて画像情報が受信されなかったとき（ステップＰ９ａ：Ｎ）、表示側情報生成部１２０は、表示側通信部１１０によってＰＣ２００ａから終了要求情報が受信されたか否かを判定する（ステップＰ１１ａ）。終了要求情報が受信されたとき（ステップＰ１１ａ：Ｙ）、表示側情報生成部１２０ａは、終了通知情報を生成する。表示側通信部１１０は、当該終了通知情報を各ＰＣ２００ａへ向け送信する。表示側更新部１５０は、会議の終了に伴い、装置管理データ１４６、画像構成データ１４４を、例えば、初期状態等に更新する（ステップＰ１２ａ）。
【０１０７】
ステップＰ１２ａに続いて、又はステップＰ１１ａにおいて終了要求情報が受信されなかったとき（ステップＰ１１ａ：Ｎ）、プロジェクター１００ａは、投写終了指示があるか否かを判定する（ステップＰ１３ａ）。投写終了指示があったとき（ステップＰ１３ａ：Ｙ）、プロジェクター１００ａは、上述した一連の処理を終了する（エンド）。投写終了指示がなかったとき（ステップＰ１３ａ：Ｎ）、プロジェクター１００ａは、ステップＰ１に戻り、表示側情報生成部１２０ａにおいて、表示側通信部１１０によってＰＣ２００ａから状態確認情報が受信されたか否かを判定する。
【０１０８】
以上説明したように、第２の実施形態では、プロジェクター１００ａにおいて、ＰＣ２００ａからの仮想ソースを含む画像構成情報を受信したときに、内蔵するパターン画像生成部１７０ａにおいてパターン画像を生成するようにしている。これにより、プロジェクター１００ａに内蔵するパターン画像生成部を仮想的に画像ソースとして割り当てることで、第１の実施形態と同様に、他の画像ソースと同様に扱う直感的な操作により、所定のパターン画像を全体画像に表示させることができるようになる。
【０１０９】
〔変形例〕
第１の実施形態又は第２の実施形態では、図１に示すように、表示システムが、４台のＰＣを含む例を説明したが、本発明に係る実施形態は、これに限定されるものではない。本発明に係る表示システムは、３台以下又は５台以上のＰＣを含んで構成されていてもよい。
【０１１０】
図１８に、第１の実施形態又は第２の実施形態の変形例における構成指定画像の一例を示す。図１８において、図７と同様の部分には同一符号を付し、適宜説明を省略する。
例えば、会議の参加中のＰＣ２００の台数が増加し、アイコン配置領域５４０にアイコンを表示できない場合、端末側画像生成部２３０は、アイコン配置領域５４０にスクロールバー画像５９２を追加した構成指定画像５０１を生成する。これにより、参加者は、スクロールバー画像５９２のスクロールによって、スクロール前には表示できなかったＰＣ２００のアイコン画像を表示できるようになる。
【０１１１】
以上、本発明に係るプログラム、情報記憶媒体、端末装置、及び表示システム等を上記のいずれかの実施形態に基づいて説明したが、本発明は上記のいずれかの実施形態に限定されるものではない。例えば、その要旨を逸脱しない範囲において種々の態様において実施することが可能であり、次のような変形も可能である。
【０１１２】
（１）上記のいずれかの実施形態又はその変形例では、図１に示すように、プロジェクターと各ＰＣが同じ部屋に配置される例を説明したが、本発明はこれに限定されるものではない。プロジェクターとＰＣとが異なる部屋に配置されていてもよい。
【０１１３】
（２）上記のいずれかの実施形態又はその変形例では、表示システムが、１台のプロジェクターを含むものとして説明したが、本発明はこれに限定されるものではない。例えば本発明に係る表示システムが、２台以上のプロジェクターを含んでいてもよい。この場合、１台のプロジェクターがマスターとなり、他のプロジェクターに対して同じ画面を投写するように制御することができる。
【０１１４】
（３）上記のいずれかの実施形態又はその変形例では、プロジェクターとＰＣの接続形態が無線接続であるものとして説明したが、本発明はこれに限定されるものではない。例えば、プロジェクターとＰＣが、ＬＡＮケーブル等による有線接続であってもよい。
【０１１５】
（４）上記のいずれかの実施形態又はその変形例では、本発明に係る表示装置としてプロジェクターを例に説明したが、本発明はこれに限定されるものではない。本発明に係る表示装置として、プロジェクターの他に、例えば、液晶ディスプレイ、ＣＲＴ（Cathode Ray Tube）、有機ＥＬ（Electro Luminescence）ディスプレイ、投写機能を有する電子機器（例えば、デジタルカメラ、携帯電話等）等であってもよい。
【０１１６】
（５）上記のいずれかの実施形態又はその変形例では、本発明に係る端末装置としてＰＣを例に説明したが、本発明はこれに限定されるものではない。本発明に係る端末装置として、ＰＣの他に、例えば、携帯電話、携帯情報端末等であってもよい。
【０１１７】
（６）上記のいずれかの実施形態又はその変形例におけるプロジェクターが有するコンピューターは、情報記憶媒体に記憶されたプログラムを読み取って表示側画像生成部１３０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【０１１８】
（７）上記のいずれかの実施形態又はその変形例におけるプロジェクターは、液晶プロジェクター（透過型、反射型）に限定されず、例えば、デジタルマイクロミラーデバイスを用いたプロジェクター等であってもよい。また、投写部１９０は、ランプの代わりに有機ＥＬ素子、シリコン発光素子、レーザーダイオード、ＬＥＤ（Light Emitting Diode）等の固体光源を含む自己発光素子を採用してもよい。また、プロジェクターの機能を複数の装置（例えば、ＰＣとプロジェクター等）に分散してもよい。
【０１１９】
（８）上記のいずれかの実施形態又はその変形例では、仮想ソースを、プロジェクター又はＰＣのいずれかに内蔵する例を説明したが、本発明はこれに限定されるものではない。例えば、プロジェクターとＰＣとが、仮想ソースとしてのパターン画像生成部の機能を分散して備えていてもよい。具体的には、パターン画像としてのユーザーロゴ画像に対応した画像情報をプロジェクターで生成し、パターン画像としての全黒画像や全白画像に対応した画像情報をＰＣで生成するようにしてもよい。
【０１２０】
（９）上記のいずれかの実施形態又はその変形例では、例えば図７に示すように各種アイコンが表示される例を用いて説明したが、本発明はこれに限定されるものではない。例えばアイコンが矩形形状であってもよく、本発明は、アイコンの表示形態に限定されるものではない。
【０１２１】
（１０）上記のいずれかの実施形態又はその変形例において、本発明を、プログラム、情報記憶媒体、端末装置、及び表示システム等として説明したが、本発明はこれに限定されるものではない。例えば、上記のいずれかの実施形態又はその変形例におけるＰＣの画像生成方法や、プロジェクターの画像表示方法、該画像表示方法を実現するプログラム、及び該プログラムを記憶したコンピューター読み取り可能な情報記憶媒体等であってもよい。
【符号の説明】
【０１２２】
１０…表示システム、  ２０…全体画像、  ３０〜３３…個別画像、１００，１００ａ…プロジェクター（表示装置）、  １１０…表示側通信部、１２０，１２０ａ…表示側情報生成部、  １３０…表示側画像生成部、１４０…表示側記憶部、  １４２，２４２…画像データ、１４４，２４４…画像構成データ、  １４６，２４６…装置管理データ、  １５０…表示側更新部、  １７０ａ，２７０…パターン画像生成部（パターン画像ソース）、１９０…投写部、  ２００，２００−１，２００−２，２００−３，２００−４…ＰＣ（端末装置、画像ソース）、  ２１０…端末側通信部、２２０，２２０ａ…端末側情報生成部、  ２２２…ソース設定部、２２４，２２４ａ…出力処理部、  ２３０…端末側画像生成部、２４０…端末側記憶部、  ２５０…端末側更新部、  ２６０…入力部、２８０…情報記憶媒体、  ２９０…端末側表示部、  ３００…アクセスポイント、５００，５０１…構成指定画像、  ５１０…表示モード選択領域、５１２，５１４，５１６…表示モードボタン画像、  ５２０…表示ボタン画像、５２４…一時停止ボタン画像、  ５３０…ソース選択領域、５３１〜５３４…位置指定領域、  ５４０…アイコン配置領域、  ５４２…自装置領域、５４４…他装置領域、  ５５０，５５２，５５４，５５６，５５８，５６０…アイコン、５７０，５７２，５７４…マーク画像、  ５９０…カーソル画像、５９２…スクロールバー画像、  ＳＣＲ…スクリーン。
【図１】
0005585506.tif 000002
【図２】
0005585506.tif 000003
【図３】
0005585506.tif 000004
【図４】
0005585506.tif 000005
【図５】
0005585506.tif 000006
【図６】
0005585506.tif 000007
【図７】
0005585506.tif 000008
【図９】
0005585506.tif 000009
【図１０】
0005585506.tif 000010
【図１２】
0005585506.tif 000011
【図１３】
0005585506.tif 000012
【図１４】
0005585506.tif 000013
【図１５】
0005585506.tif 000014
【図１６】
0005585506.tif 000015
【図１７】
0005585506.tif 000016
【図１８】
0005585506.tif 000017
【図８】
0005585506.tif 000018
【図１１】
0005585506.tif 000019